(57)【特許請求の範囲】
【請求項１】
インクジェット記録用水性インクであって、
水と、
水溶性有機溶剤と、
前記水性インク中に０．２重量％〜０．７５重量％含まれる、アルコールアミンと、
前記水性インク中に０．０２重量％〜０．２重量％含まれる硫酸塩構造を有するアニオン界面活性剤および
一般式（１）で表わされる染料を含む着色剤を含むインクジェット記録用水性インク。
【化１】
0005846424.tif 000017
一般式（１）において、
環Ａ１、Ａ２およびＡ３は、それぞれ、ベンゼン環、２，３−ピリジン環または、３，２−ピリジン環のいずれかであり、且つ、環Ａ１、Ａ２およびＡ３の少なくとも一つは、２，３−ピリジン環または３，２−ピリジン環であり、環Ａ１、Ａ２およびＡ３は互いに同一でも異なっていてもよく、
ａは、０≦ａ≦４を満たし、ｂは、０≦ｂ≦４を満たし、ｃは、０≦ｃ≦４を満たし、且つ、ａ、ｂおよびｃは、０≦ａ＋ｂ＋ｃ≦４を満たし、
ｚは、１≦ｚ≦３を満たす整数であり、
Ｒ０は、炭素原子数１〜６の直鎖アルキレン基である。
【請求項２】
一般式（１）で表わされる前記染料は、前記水性インク全量に対し、５重量％以下である請求項１に記載のインクジェット記録用水性インク。
【請求項３】
ｐＨが、７以上９以下である請求項１に記載のインクジェット記録用水性インク。
【請求項４】
さらに、ｐＨ調整剤を含む請求項３に記載のインクジェット記録用水性インク。
【請求項５】
前記アルコールアミンが、トリエタノールアミンまたは、ジエタノールアミンである請求項１に記載のインクジェット記録用水性インク。
【請求項６】
前記ｐＨ調整剤が、硫酸、イタコン酸、Ｌ−グルタミン酸又は、ベンゾトリアゾールである請求項４に記載のインクジェット記録用水性インク。
【請求項７】
前記インクジェット記録用水性インクが、水性シアンインクである請求項１に記載のインクジェット記録用水性インク。
【請求項８】
記録媒体に記録を行なうインクジェット記録方法であって、
請求項１に記載のインクジェット記録用水性インクを用意することと、
前記インクジェット記録用水性インクを前記記録媒体に吐出することを含むインクジェット記録方法。
【請求項９】
記録媒体に記録を行なうインクジェット記録装置であって、
請求項１に記載のインクジェット記録用水性インクを収容するインク収容部および
前記インク収容部に収容された前記インクジェット記録用水性インクを前記記録媒体に吐出するインク吐出機構を含むインクジェット記録装置。
【発明の詳細な説明】
【技術分野】
【０００１】
本発明は、インクジェット記録用水性インク、インクジェット記録方法およびインクジェット記録装置に関する。
【背景技術】
【０００２】
水性インクを用いたインクジェット記録では、記録画像において、部分的に光の反射率が異なり、記録画像の観察角度によって金属様光沢が認められる、いわゆるブロンズ現象が生じる場合がある。このブロンズ現象が生じると、記録画像全体としての色バランスが崩れ、記録画像の画質が低下する。
【０００３】
このブロンズ現象の発生を抑制するものとして、尿素誘導体等のアミン化合物を配合したインクが提案されている。また、ブロンズ現象の発生を抑制するものとして、芳香環を複数個有する、多環芳香族へテロ共役系化合物を配合したインクが提案されている。
【発明の概要】
【発明が解決しようとする課題】
【０００４】
しかし、前記尿素誘導体を配合したインクでは、ブロンズ現象発生の抑制が不充分である。また、前記多環芳香族へテロ共役系化合物を配合したインクでは、多環芳香族へテロ共役系化合物の共役系が、染料の共役系に影響を与えて染料の吸収波長を変化させ、記録画像の色に影響を与えるおそれがある。
【０００５】
そこで、本発明は、ブロンズ現象の発生を充分に抑制可能で、記録画像の色に影響を与えることのないインクジェット記録用水性インクを提供することを目的とする。
【課題を解決するための手段】
【０００６】
第１の態様に従えば、インクジェット記録用水性インクであって、水と、水溶性有機溶剤と、前記水性インク中に０．２重量％〜０．７５重量％含まれるアルコールアミンと、前記水性インク中に０．０２重量％〜０．２重量％含まれる硫酸塩構造を有するアニオン界面活性剤および一般式（１）で表わされる染料を含む着色剤を含むインクジェット記録用水性インクが提供される。
【化１】
0005846424.tif 000002
一般式（１）において、
環Ａ１、Ａ２およびＡ３は、それぞれ、ベンゼン環、２，３−ピリジン環または、３，２−ピリジン環のいずれかであり、且つ、環Ａ１、Ａ２およびＡ３の少なくとも一つは、２，３−ピリジン環または３，２−ピリジン環であり、環Ａ１、Ａ２およびＡ３は互いに同一でも異なっていてもよく、
ａは、０≦ａ≦４を満たし、ｂは、０≦ｂ≦４を満たし、ｃは、０≦ｃ≦４を満たし、且つ、ａ、ｂおよびｃは、０≦ａ＋ｂ＋ｃ≦４を満たし、
ｚは、１≦ｚ≦３を満たす整数であり、
Ｒ０は、炭素原子数１〜６の直鎖アルキル基である。
【０００７】
第２の態様に従えば、記録媒体に記録を行なうインクジェット記録方法であって、第１の態様のインクジェット記録用水性インクを用意することと、前記インクジェット記録用水性インクを前記記録媒体に吐出することを含むインクジェット記録方法が提供される。
【０００８】
第３の態様に従えば、記録媒体に記録を行なうインクジェット記録装置であって、第１の態様のインクジェット記録用水性インクを収容するインク収容部および前記インク収容部位に収容された前記インクジェット記録用水性インクを前記記録媒体に吐出するインク吐出機構を含むインクジェット記録装置が提供される。
【図面の簡単な説明】
【０００９】
【図１】図１は、本発明のインクジェット記録装置の一例の構成を示す概略斜視図である。
【発明を実施するための形態】
【００１０】
本発明のインクジェット記録用水性インク（以下、単に「水性インク」または「インク」と言うことがある）について説明する。本発明の水性インクは、着色剤、水および水溶性有機溶剤を含む。前記着色剤は、一般式（１）で表される染料を含む。前記着色剤として、一般式（１）で表される前記染料を用い、且つ、後述のアルコールアミンおよび硫酸塩構造を有するアニオン界面活性剤を併用することで、ブロンズ現象の発生を充分に抑制可能な水性インクを得ることができる。また、本発明の水性インクは、前記多環芳香族へテロ共役系化合物を用いていないため、記録画像の色に影響を与えることがない。
【００１１】
一般式（１）で表される前記染料は、環Ａ１、Ａ２およびＡ３がすべて２，３−ピリジン環または３，２−ピリジン環である化合物であってもよいし、環Ａ１、Ａ２およびＡ３のうち二つが２，３−ピリジン環または３，２−ピリジン環であり、残り一つがベンゼン環である化合物であってもよいし、環Ａ１、Ａ２およびＡ３のうち一つが２，３−ピリジン環または３，２−ピリジン環であり、残り二つがベンゼン環である化合物であってもよい。一般式（１）で表される前記染料は、単一の前記化合物で構成されていてもよいし、２種以上の前記化合物を含む混合物であってもよい。
【００１２】
一般式（１）で表される染料は、一般式（１）において、ａ、ｂ及びｃは、０≦ａ≦４、０≦ｂ≦４、０≦ｃ≦４、および０≦ａ＋ｂ＋ｃ≦４を満たし、更に、１．０≦ａ≦３．０、０．２≦ｂ≦１．８、０．８≦ｃ≦１．６、およびａ＋ｂ＋ｃ＝４を満たすことが好ましい。尚、一般式（１）で表される染料として、２種以上の化合物を含む混合物を用いる場合、ａ、ｂおよびｃは、混合物における平均値が上記範囲を満たすことが好ましい。
【００１３】
一般式（１）で表される前記染料の好ましい具体例としては、化学式（１−Ａ）〜（１−Ｅ）で表される化合物があげられる。
【００１４】
【化２】
0005846424.tif 000003
化学式（１−Ａ）において、
環Ａ１、Ａ２およびＡ３は、それぞれ独立に、２，３−ピリジン環および／または３，２−ピリジン環であり、ａは、１．０であり、ｂは、１．８であり、ｃは、１．２であり、ａ、ｂおよびｃは、混合物における平均値である。
【００１５】
【化３】
0005846424.tif 000004
化学式（１−Ｂ）において、
環Ａ１およびＡ２は、それぞれ独立に、２，３−ピリジン環および／または３，２−ピリジン環であり、環Ａ３は、ベンゼン環であり、
ａは、２．４であり、ｂは、０．６であり、ｃは、１．０であり、ａ、ｂおよびｃは、混合物における平均値である。
【００１６】
【化４】
0005846424.tif 000005
化学式（１−Ｃ）において、
環Ａ１、Ａ２およびＡ３は、それぞれ独立に、２，３−ピリジン環および／または３，２−ピリジン環であり、
ａは、３．０であり、ｂは、０．２であり、ｃは、０．８であり、ａ、ｂおよびｃは、混合物における平均値である。
【００１７】
【化５】
0005846424.tif 000006
化学式（１−Ｄ）において、
環Ａ１は、ベンゼン環であり、環Ａ２およびＡ３は、それぞれ独立に、２，３−ピリジン環および／または３，２−ピリジン環であり、
ａは、１．８であり、ｂは、０．９であり、ｃは、１．３であり、ａ、ｂおよびｃは、混合物における平均値である。
【００１８】
【化６】
0005846424.tif 000007
化学式（１−Ｅ）において、
環Ａ１、Ａ２およびＡ３は、それぞれ独立に、２，３−ピリジン環および／または３，２−ピリジン環であり、
ａは、１．１であり、ｂは、１．３であり、ｃは、１．６であり、ａ、ｂおよびｃは、混合物における平均値である。
【００１９】
一般式（１）で表される前記染料は、従来公知の方法で製造できる。一般式（１）で表される前記染料の製造方法は、例えば、つぎのとおりである。
【００２０】
すなわち、まず、構造式（１１）で表される銅ポルフィラジン化合物を合成する。構造式（１１）で表される銅ポルフィラジン化合物は、例えば、触媒および銅化合物の存在下、含窒素複素芳香環（２，３−ピリジン環および３，２−ピリジン環の少なくとも一方）ジカルボン酸誘導体とフタル酸誘導体とを反応させることにより得られる。前記含窒素複素芳香環ジカルボン酸誘導体と前記フタル酸誘導体の反応のモル比を変えることにより、Ａ１、Ａ２およびＡ３の前記含窒素複素芳香環の数とベンゼン環の数を調整することが可能である。前記含窒素複素芳香環ジカルボン酸誘導体としては、隣接する２つの位置にそれぞれカルボキシル基、またはそれから誘導される反応性の基（例えば、酸アミド基、イミド基、酸無水物基、カルボニトリル基等）を有する６員環含窒素複素芳香環ジカルボン酸誘導体等があげられる。銅ポルフィラジン化合物の合成方法としては、例えば、ニトリル法、ワイラー法等の従来公知の方法があげられる。
【００２１】
0005846424.tif 000008
【００２２】
つぎに、構造式（１１）で表される銅ポルフィラジン化合物を、クロロスルホン酸中でクロロスルホン化するか、硫酸または発煙硫酸中でスルホン化した後、クロロ化剤でスルホ基をクロロスルホ基に変換すること等によって、構造式（１２）で表される銅クロロスルホニルポルフィラジン化合物を得る。
【００２３】
0005846424.tif 000009
【００２４】
つぎに、得られた銅クロロスルホニルポルフィラジン化合物と、構造式（１３）で表される有機アミンとを、アミノ化剤（アンモニアまたはアンモニア発生化合物）の存在下で、水溶媒中で、おおよそｐＨ８〜１０、５℃〜７０℃、１時間〜２０時間反応させることにより、一般式（１）で表される前記染料を得ることができる。前記アミノ化剤としては、アンモニアまたは前記反応に際してアンモニアを発生する化合物（アンモニア発生化合物）を使用でき、例えば、塩化アンモニウム、硫酸アンモニウム等のアンモニウム塩、尿素、アンモニア水、アンモニアガス等があげられる。構造式（１３）で表される有機アミンにおいて、ＸおよびＹは、それぞれ、水素原子またはナトリウムである。前記ＸおよびＹは、前記水溶媒中で電離して、イオン（Ｈ＋またはＮａ＋）となっていてもよい。前記有機アミンは、従来公知の方法で製造できる。
【００２５】
0005846424.tif 000010
【００２６】
このようにして得られた一般式（１）で表される前記染料は、酸析または塩析後、ろ過等により分離できる。塩析は、例えば、酸性〜アルカリ性、好ましくは、約ｐＨ１〜１１で行うことが好ましい。塩析の際の温度は、特に限定されないが、例えば、約４０℃〜８０℃、好ましくは、約５０℃〜７０℃である。
【００２７】
前述の方法で合成される一般式（１）で表される前記染料は、遊離酸またはその塩の形で得られる。遊離酸とするには、例えば、酸析すればよい。塩とするには、例えば、塩析するか、遊離酸としたものに所望の有機または無機の塩基を添加する通常の塩交換法を用いればよい。
【００２８】
一般式（１）で表される前記染料の配合量（染料割合）は、特に制限されないが、前記水性インク全量に対し、５重量％以下であることが好ましい。前記染料割合を５重量％以下とすれば、コストを低減でき、ブロンズ現象抑制効果を阻害することがない。前記染料割合は、より好ましくは、２重量％〜５重量％であり、さらに好ましくは、２重量％〜４．５重量％である。前記染料割合は、例えば、一般式（１）で表される染料が水溶液として配合される場合には、水を除いた一般式（１）で表される染料自身の量である。
【００２９】
前記着色剤は、一般式（１）で表される前記染料のみで構成されていてもよいし、本発明の効果を損なわない範囲において、さらに、他の染料および顔料等を含んでもよい。
【００３０】
前記水は、イオン交換水または純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００３１】
前記水溶性有機溶剤としては、例えば、インクジェットヘッドのノズル先端部における水性インクの乾燥を防止する湿潤剤および記録媒体上での乾燥速度を調整する浸透剤があげられる。
【００３２】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン;１，３−ジメチル−２−イミダゾリジノン等があげられる。前記ポリ
アルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中でも、アルキレングリコール、グリセリン等の多価アルコールが好ましい。
【００３３】
前記水性インク全量に対する前記湿潤剤の配合量は、例えば、０重量％〜９５重量％であり、好ましくは、５重量％〜８０重量％であり、より好ましくは、５重量％〜５０重量％である。
【００３４】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００３５】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００３６】
前述のとおり、前記水性インクは、アルコールアミンおよび硫酸塩構造を有するアニオン界面活性剤を含む。アミン化合物の中でも特にアルコールアミンを用い、さらに、硫酸塩構造を有するアニオン界面活性剤および前述の一般式（１）で表される染料を併用することで、ブロンズ現象の発生を充分に抑制可能な水性インクを得ることができる。
【００３７】
前記アルコールアミンとしては、例えば、トリエタノールアミン、ジエタノールアミン、モノエタノールアミン、トリメタノールアミン、ジメタノールアミン、モノメタノールアミン、プロパノールアミン等があげられ、安全性（腐食性がない）及びコストの観点から、好ましくは、トリエタノールアミン、ジエタノールアミン、モノエタノールアミンであり、より好ましくは、トリエタノールアミン、ジエタノールアミンである。前記アルコールアミンは、１種類を単独で用いてもよいし、２種類以上を併用してもよい。
【００３８】
前記アルコールアミンの配合量（アルコールアミン割合）は、前記水性インク全量に対し、０．２重量％〜０．７５重量％であることが好ましい。硫酸塩構造を有するアニオン界面活性剤を含む水性インクにおいて、前記アルコールアミン割合を０．２重量％以上とすることで、ブロンズ現象の発生をさらに抑制することが可能となり、また、０．７５重量％以下とすることで、蒸発後の流動性により優れた水性インクを得ることができる。「蒸発後の流動性」とは、例えば、開放容器内で水性インクを蒸発させた後、前記開放容器を傾けたときの水性インクの流動性を言う。蒸発後の流動性が悪いと、例えば、インクジェットヘッドで水性インクが一定時間放置され、蒸発すると、流動性がなくなり、吐出不良の原因となる。
【００３９】
前記硫酸塩構造を有するアニオン界面活性剤は、硫酸塩構造（−ＳＯ３Ｍ、Ｍは水素原子以外のカウンターイオン）を有するアニオン界面活性剤であればいかなるものを用いてもよく、例えば、市販品を用いてもよい。前記市販品としては、例えば、ライオン（株）製の「サンノール（登録商標）ＮＬ１４３０」、同社製の「ライポン（登録商標）ＬＴ−２７０」、同社製の「ライポン（登録商標）ＬＳ−２５０」、同社製の「サンノール（登録商標）ＬＭ−１１３０」、花王（株）製の「ペレックス  ＴＲ」等があげられる。
【００４０】
前記硫酸塩構造を有するアニオン界面活性剤の配合量（界面活性剤割合）は、前記水性インク全量に対し、０．０２重量％〜０．２重量％であることが好ましい。アルコールアミンを含む水性インクにおいて、前記界面活性剤割合を前記範囲とすることで、ブロンズ現象の発生をさらに抑制することが可能となる。前記界面活性剤割合は、例えば、前記硫酸塩構造を有するアニオン界面活性剤の水溶液を用いる場合であれば、水を除いた前記硫酸塩構造を有するアニオン界面活性剤自身の量である。
【００４１】
ブロンズ現象は、水性インクに含まれる染料の会合によって発生するので、ブロンズ現象を抑制するためには、染料の会合を阻害する必要がある。染料の会合を阻害し、ブロンズ現象を抑制する試薬としては、含窒素化合物が知られているが、本発明の水性インクに含まれる一般式（１）で表わされる染料に対しては、含窒素化合物の中で、アルコールアミンのみが、硫酸塩構造を有するアニオン界面活性剤と併用した場合に、ブロンズ現象を抑制する効果を奏する。他の含窒素化合物と硫酸塩構造を有するアニオン界面活性剤を併用しても、一般式（１）で表わされる染料に対しては、ブロンズ現象を抑制する十分な効果は得られない。更に、硫酸塩構造を有するアニオン界面活性剤を併用せず、アルコールアミンのみを用いた場合、少量であればブロンジングを抑制する十分な効果は得られず、多量であればブロンジングは十分に抑制されるものの、インクのｐHが上昇してしまう。そして、ｐHの上昇を抑えるためには、多量のｐH調整剤を水性インクに添加する必要があり、このような大量のｐH調整剤は、水性インクの蒸発特性を低下させる。
【００４２】
硫酸塩構造を有するアニオン界面活性剤も、一般式（１）で表わされる染料の会合を阻止することに寄与していると考えられ、硫酸塩構造を有さない界面活性剤をアルコールアミンと併用しても、ブロンズ現象を抑制する十分な効果を得られない。更に、アルコールアミンを併用せず、硫酸塩構造を有するアニオン界面活性剤のみを用いた場合も、十分な効果は得られない。
【００４３】
また、アルコールアミンおよび硫酸塩構造を有するアニオン界面活性剤を併用した場合であっても、一般式（１）で表わされる染料以外の染料に対しては、ブロンズ現象を抑制する十分な効果は得られない。ブロンズ現象は、水性インクに含まれる染料の会合によって発生するので、染料ごとに、ブロンズ現象を抑制できる試薬、及びその組合せは異なると推察される。
【００４４】
本発明の水性インクにおいては、一般式（１）で表わされる染料と、アルコールアミンおよび硫酸塩構造を有するアニオン界面活性剤が、何らかの相互作用を生じ、一般式（１）で表わされる染料の会合を効率的に阻止するものと推測される。このように、本発明者は、一般式（１）で表わされる染料を用いた水性インクにおいて、ブロンズ現象を十分に抑制できる試薬の組合せを見出した。
【００４５】
特に、本発明において、前記アルコールアミン割合を０．２重量％〜０．７５重量％とし、且つ、前記界面活性剤割合を０．０２重量％〜０．２重量％とすることが好ましい。これにより、ブロンズ現象をさらに抑制することが可能となると共に、蒸発後の流動性により優れた水性インクを得ることができる。
【００４６】
前記水性インクのｐＨは、好ましくは、７〜９である。ｐＨを前記範囲とすることで、取り扱い性により優れた水性インクとすることができる。前記水性インクは、さらに、ｐＨ調整剤を含むことが好ましい。前記ｐＨ調整剤は、例えば、前記アルコールアミンを中和する機能を有する。前記ｐＨ調整剤としては、例えば、硫酸、イタコン酸、Ｌ−グルタミン酸、ベンゾトリアゾール、シュウ酸、マロン酸、フマル酸、コハク酸、グルタル酸、アジピン酸、リンゴ酸、リン酸、クエン酸、硝酸、ギ酸、プロピオン酸、グリコール酸、乳酸等があげられる。特に、水性インクへの溶解性の観点から、硫酸、イタコン酸、Ｌ−グルタミン酸及びベンゾトリアゾールを用いることが好ましい。前記ｐＨ調整剤の配合量（ｐＨ調整剤割合）は、前記アルコールアミン割合に応じて適宜調整すればよいが、前記水性インク全量に対し、２重量％以下とすることが好ましく、より好ましくは、０．１重量％〜０．９重量％である。ｐＨ調整剤の配合量を上記範囲とすることで、水性インクの蒸発後の流動性を保ちつつ、水性インクのｐＨを調製することができる。
【００４７】
前記水性インクは、必要に応じて、さらに、従来公知の添加剤を含んでもよい。前記添加剤としては、例えば、粘度調整剤、表面張力調整剤、防黴剤等があげられる。前記粘度調整剤としては、例えば、ポリビニルアルコール、セルロース、水溶性樹脂等があげられる。
【００４８】
前記水性インクは、例えば、着色剤、水、水溶性有機溶剤、アルコールアミンおよび硫酸塩構造を有するアニオン界面活性剤と、必要に応じて他の添加成分とを、従来公知の方法で均一に混合し、フィルタ等で不溶解物を除去することにより調製できる。
【００４９】
つぎに、本発明のインクジェット記録用水性インクは、インクカートリッジとして提供することも可能である。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００５０】
以上説明した本発明のインクジェット記録用水性インクは、ブロンズ現象の発生を充分に抑制可能で、前記多環芳香族へテロ共役系化合物に起因した記録画像の色に与える影響も回避できる。
【００５１】
つぎに、前記水性インクを用いた本発明のインクジェット記録方法およびインクジェット記録装置について説明する。
【００５２】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００５３】
本発明のインクジェット記録装置は、インク収容部およびインク吐出機構を含み、前記インク収容部に収容されたインクを前記インク吐出機構によって吐出するインクジェット記録装置であって、前記インク収容部に、本発明のインクジェット記録用水性インクが収容されていることを特徴とする。
【００５４】
本発明のインクジェット記録方法は、例えば、本発明のインクジェット記録装置を用いて実施可能である。前記記録は、印字、印画、印刷等を含む。
【００５５】
図１に、本発明のインクジェット記録装置の一例の構成を示す。図示のとおり、このインクジェット記録装置１は、４つのインクカートリッジ２と、インク吐出機構（インクジェットヘッド）３と、ヘッドユニット４と、キャリッジ５と、駆動ユニット６と、プラテンローラ７と、パージ装置８とを主要な構成要素として含む。
【００５６】
前記４つのインクカートリッジ２は、ブラック、シアン、イエローおよびマゼンタの４色の水性インクを、それぞれ１色ずつ含む。例えば、前記水性シアンインクが、本発明の水性インクである。その他の水性インクは、一般的な水性インクを用いてよい。前記ヘッドユニット４に設置された前記インクジェットヘッド３は、記録媒体（例えば、記録用紙）Ｐに記録を行う。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。
【００５７】
前記記録用紙Ｐは、例えば、このインクジェット記録装置１の側方または下方に設けられた給紙カセット（図示せず）から給紙される。前記記録用紙Ｐは、前記インクジェットヘッド３と、前記プラテンローラ７との間に導入される。導入された前記記録用紙Ｐに、前記インクジェットヘッド３から吐出されるインクにより所定の記録がされる。前記アルコールアミン割合を０．２重量％〜０．７５重量％、かつ前記界面活性剤割合を０．０２重量％〜０．２重量％とした蒸発後の流動性により優れた本発明の水性インクを用いれば、前記インクジェットヘッド３で加熱され、蒸発しても、流動性を失うことがないため、吐出安定性に優れる。記録された前記記録用紙Ｐは、前記インクジェット記録装置１から排紙される。本発明の水性インクを用いた前記記録物では、ブロンズ現象の発生が充分に抑制される。また、本発明の水性インクは、前記多環芳香族へテロ共役系化合物の化合物を用いていないため、記録画像の色に影響を与えることがない。なお、図１においては、前記記録用紙Ｐの給紙機構および排紙機構の図示を省略している。
【００５８】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００５９】
前記パージ装置８の前記プラテンローラ７側には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【００６０】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【００６１】
つぎに、本発明の実施例について比較例と併せて説明する。なお、本発明は、下記の実施例および比較例により限定および制限されない。
【００６２】
［実施例１〜１１および比較例１〜３３］
水性インク組成（表１〜３）の各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、実施例１〜１１および比較例１〜３３のインクジェット記録用水性インクを得た。なお、表１〜３において、染料（１−Ａ）〜（１−Ｅ）は、それぞれ、化学式（１−Ａ）〜（１−Ｅ）で表される化合物であり、１０重量％濃度の水溶液として配合され、括弧内の数値が染料（１−Ａ）〜（１−Ｅ）自身の量である。また、表１〜３において、アルコールアミンとしては、トリエタノールアミン、およびジエタノールアミンを用い、硫酸塩構造を有するアニオン界面活性剤としては、ライオン（株）製の「サンノール（登録商標）ＮＬ１４３０」、同社製の「ライポン（登録商標）ＬＴ−２７０」、同社製の「ライポン（登録商標）ＬＳ−２５０」、同社製の「サンノール（登録商標）ＬＭ−１１３０」、および花王（株）製の「ペレックス  ＴＲ」を用いた。更に、ｐＨ調整剤としては、硫酸、イタコン酸、Ｌ−グルタミン酸、およびベンゾトリアゾールを用いた。
【００６３】
また、表３において、染料（２）は、化学式（２）で表される化合物であり、１０．５重量％濃度の水溶液として配合され、括弧内の数値が染料（２）自身の量である。化学式（２）において、Ｐｃ（Ｃｕ）は、一般式（Ｐｃ）で表される銅フタロシアニン核である。
【００６４】
【化７】
0005846424.tif 000011
【化８】
0005846424.tif 000012
【００６５】
染料（２）の製造方法について説明する。染料（２）は、例えば、下記工程（Ａ）〜（Ｃ）に示す従来公知の銅フタロシアニン置換方法等により製造できる。
【００６６】
工程（Ａ）
まず、クロロスルホン化剤を用いて銅フタロシアニン化合物をクロロスルホン化する。前記クロロスルホン化剤としては、例えば、クロロスルホン酸とクロロ化剤（オキシ塩化リンまたは三塩化リン）との混合物等があげられる。クロロスルホン酸と銅フタロシアニン化合物とのモル比（クロロスルホン酸：銅フタロシアニン化合物）は、約５：１〜２００：１が好ましく、クロロ化剤と銅フタロシアニン化合物のモル比（クロロ化剤：銅フタロシアニン化合物）は、約０．５：１〜１０：１が好ましい。
【００６７】
このクロロスルホン化反応は、例えば、温度約９０℃〜１８０℃で、約０．５時間〜１６時間行われる。一般に、クロロスルホン化の反応時間は、反応温度に依存しており、反応温度が高ければ短くなり、温度が低ければ長くなる傾向にある。前記クロロスルホン化反応は、温度約１３５℃〜１４５℃で、約１．５時間〜５．０時間行われることがより好ましい。
【００６８】
前記クロロスルホン化剤は、硫酸を含んでもよい。前記クロロスルホン化剤が硫酸を含む場合には、硫酸と銅フタロシアニン化合物とのモル比（硫酸：銅フタロシアニン化合物）は、約０．３：１〜２：１が好ましい。
【００６９】
工程（Ｂ）
つぎに、工程（Ａ）で得られた生成物をアンモニアと縮合反応させて構造式（２１）で表される化合物を得る。
【００７０】
0005846424.tif 000013
【００７１】
この工程は、例えば、約３重量％〜３５重量％の水酸化アンモニウムを用いて、約０℃〜５０℃の反応温度で行われる。一般に、この反応時間は、反応温度に依存しており、反応温度が高ければ短くなり、温度が低ければ長くなる傾向にある。前記縮合反応は、温度約０℃〜４５℃で、約０．５時間〜２４時間行われることが好ましい。
【００７２】
工程（Ｃ）
つぎに、必要に応じて、工程（Ｂ）で得られた構造式（２１）で表される化合物中のＮＨ４＋を１価の金属カチオンで交換する。この金属カチオン交換反応は、工程（Ｂ）の生成物を酸性にし（例えば、塩酸を用いてＮＨ４＋をＨ＋に交換し）、ついで透析によって元のカチオンを除去し、つぎに１価の金属カチオンを添加する（例えば、アルカリ金属水酸化物の添加による）等の方法により行うことができる。このようにして、前記染料（２）を製造できる。
【００７３】
実施例および比較例の水性インクについて、（ａ）ブロンジング評価、（ｂ）蒸発後の流動性評価および（ｃ）ｐＨ測定を、下記の方法により実施した。
【００７４】
（ａ）ブロンジング評価
ブラザー工業（株）製のインクジェットプリンタ搭載デジタル複合機ＤＣＰ−３８５Ｃを使用して、実施例および比較例の水性インクを用いてブラザー工業（株）製の写真光沢紙ＢＰ７１Ｇ上に解像度１２００ｄｐｉ×２４００ｄｐｉで単色パッチを記録した。前記単色パッチの６０°光沢をスガ試験機（株）製のハンディ光沢計ＨＧ−２６８により測定し、ブロンジングを、下記評価基準に従って評価した。
【００７５】
ブロンジング評価  評価基準
Ａ：６０°光沢が、４７以下
Ｂ：６０°光沢が、４７を超えて５２以下
Ｃ：６０°光沢が、５２を超えて６０以下
Ｄ：６０°光沢が、６０を超える
【００７６】
（ｂ）蒸発後の流動性評価
実施例および比較例の水性インク５ｇを、開放瓶（口径：２０．２ｍｍ）に注入した。その開放瓶を、温度６０℃、相対湿度４０％の恒温槽中に５日間保存した。前記保存後、前記開放瓶内の水性インクの状態を目視で観察し、下記の評価基準に従って評価した。
【００７７】
蒸発後の流動性評価  評価基準
Ａ＋：流動性あり（開放瓶を傾けたときに水性インクに大きな動きがあった）
Ａ  ：流動性あり（開放瓶を傾けたときに水性インクにわずかに動きがあった）
Ｂ＋：流動性あり（衝撃を与えたら、水性インクに大きな動きがあった）
Ｂ  ：流動性あり（衝撃を与えたら、水性インクにわずかに動きがあった）
Ｃ  ：流動性なし（開放瓶を傾けても、衝撃を与えても、水性インクに動きがなかった）
【００７８】
（ｃ）ｐＨ測定
実施例および比較例の水性インクのｐＨを、（株）堀場製作所製のコンパクトｐＨメーターを用いて測定した。
【００７９】
実施例の水性インクの組成および評価、測定結果を、表１に示す。また、比較例の水性インクの組成および評価、測定結果を、表２及び表３に示す。
【００８０】
【表１】
0005846424.tif 000014
【表２】
0005846424.tif 000015
【表３】
0005846424.tif 000016
【００８１】
表１に示すとおり、実施例１〜１１の水性インクは、一般式（１）で表わされる染料、アルコールアミンおよび硫酸塩構造を有するアニオン界面活性剤を含み、アルコールアミン割合は、０．２重量％〜０．７５重量％、硫酸塩構造を有するアニオン界面活性剤割合は、０．０２重量％〜０．２重量％である。実施例１〜１１の水性インクは、ブロンジング評価の結果がＡ、蒸発後の流動性評価結果がＡ＋であり、ブロンズ現象の発生が充分に抑制されると共に、蒸発後の流動性評価結果が優れていた。実施例１〜１１の水性インク中のｐＨ調整剤割合は、０．９０重量％以下であり、このｐＨ調整剤割合も、実施例１〜１１の水性インクの蒸発後の流動性評価結果が優れていることに、影響を与えていると考えられる。また、ｐＨが７〜９である実施例１〜７および９〜１１の水性インクは、作業者が取り扱う上で、またユーザが使用する上で、安全性の面で特に優れていた。
【００８２】
表２に示すとおり、比較例１〜１３の水性インクは、一般式（１）で表わされる染料、アルコールアミンおよび硫酸塩構造を有する界面活性剤を含んでいるが、アルコールアミン割合が０．２重量％〜０．７５重量％の範囲の外、および／または、硫酸塩構造を有するアニオン界面活性剤割合が０．０２重量％〜０．２重量％の範囲の外である。比較例１〜１３の水性インクは、ブロンジング評価の結果および流動後の流動性評価結果がＡまたはＢであり、実施例１〜１１の水性インクの評価結果と比較して劣っていた。一方で、ｐＨ調整剤割合が０．９０重量％以下である比較例1〜３、５〜９、１２および１３の水性インクは、蒸発後の流動性評価結果がＡであり、ｐＨ調整剤割合が０．９０重量％より多い比較例４、１０および１１の水性インクと比較して優れていた。また、ｐＨが７〜９である比較例１〜１２の水性インクは、作業者が取り扱う上で、またユーザが使用する上で、安全性の面で特に優れていた。
【００８３】
一方、表３に示すとおり、アルコールアミンおよび硫酸塩構造を有する界面活性剤を用いなかった比較例１４では、ブロンジング評価の結果がＤであり、ブロンズ現象発生の抑制が不充分であった。
【００８４】
アルコールアミンを用いたが、硫酸塩構造を有するアニオン界面活性剤を用いなかった比較例１５および１６の水性インクでは、ブロンジング評価結果がＤおよびＣであり、ブロンズ現象発生の抑制が不充分であった。
【００８５】
硫酸塩構造を有するアニオン界面活性剤を用いたが、アルコールアミンを用いなかった比較例１７〜２１の水性インクでは、ブロンジング評価の結果がＣまたはＤであり、ブロンズ現象発生の抑制が不充分であった。
【００８６】
アルコールアミンと共に、硫酸塩構造を有しないアニオン界面活性剤を用いた比較例２２〜２７の水性インクでは、ブロンジング評価の結果がＤであり、ブロンズ現象発生の抑制が不充分であった。
【００８７】
硫酸塩構造を有するアニオン界面活性剤と共に、アルコールアミン以外の含窒素化合物を用いた比較例２８〜３２の水性インクでは、ブロンジング評価の結果がＤであり、ブロンズ現象発生の抑制が不充分であった。
【００８８】
一般式（１）で表される染料以外の銅フタロシアニン系染料（染料（２））を用いた比較例３３の水性インクでは、アルコールアミンおよび硫酸塩構造を有するアニオン界面活性剤を用いているのにもかかわらず、ブロンジング評価の結果がＤであり、ブロンズ現象発生の抑制が不充分であった。
【００８９】
以上の実施例及び比較例の結果から、アルコールアミンおよび硫酸塩構造を有するアニオン界面活性剤を併用することで、一般式（１）で表わされる染料を用いた水性インクのブロンズ現象発生を十分に抑制することがわかった。
【産業上の利用可能性】
【００９０】
以上のように、本発明の水性インクは、ブロンズ現象の発生を充分に抑制可能で、記録画像の色に影響を与えることがない。本発明の水性インクの用途は、特に限定されず、各種のインクジェット記録に広く適用可能である。
【符号の説明】
【００９１】
１          インクジェット記録装置
２          インクカートリッジ
３          インク吐出機構（インクジェットヘッド）
４          ヘッドユニット
５          キャリッジ
６          駆動ユニット
７          プラテンローラ
８          パージ装置
【図１】
0005846424.tif 000018